(57)【要約】【課題】コンサートや集会で特定の方向の演者による音源を効率適に拾い、周囲の雑音を遮断し低コストで製造簡単でかさばらない集音器を提供する。【解決手段】平面のシートを打ち抜き、折り曲げ部にけがき線をいれて曲げ位置を示し、手順にそって曲げてゆくことで立体的な円筒形状をつくる。さらに使用者の額に当たる部分と頭の背後で繋ぐ部分を設け、使用者の頭に挿入して耳掛けで位置決めされながら保持される。【選択図】図５
2017182029.tif 000002
【特許請求の範囲】
【請求項１】
使用者の耳にあてがい前方に開口部を有し側面を覆う形状をなす集音器であって、外形がくりぬかれたシートを折り曲げて立体形状とすることを特徴とする該集音器。
【請求項２】
遮音壁となる部分の端に連結部が、また該遮音壁と連接する部分にもう一方の連結部を設けたことを特徴とする請求項１項記載の集音器。
【請求項３】
前記遮音壁の前記連結部と反対側に立ち曲げ線を刻み該断ち曲げ線に沿って該遮音壁をたち曲げた後、前記連結部と前記もう一方の連結部と結合させることで該遮音壁の一辺である開口縁が概略半円形の開口部を形成することを特徴とする請求項１項記載の集音器。
【請求項４】
前記もう一方の連結部に連続して前記使用者の耳に掛けられる窪みを設け該もう一方の連結部が該使用者の顔の側面に密着することを特徴とする請求項１項記載の集音器。
【請求項５】
前記集音器は左右で一対となり中央部に前記使用者の額にあたる額帯部と該使用者の頭の後ろで連結される一対の引っ掛け部を一体に設けたことを特徴とする請求項１項記載の集音器。
【請求項６】
前記集音器は左右で独立した別部材とし、さらにもうひとつの連結日除け部材によって一体に組み立てられることを特徴とする請求項１項記載の集音器。
【発明の詳細な説明】
【技術分野】
【０００１】  本発明は、コンサートや集会等で、周囲の騒音を遮り前方からの演者の音を聞きやすくするための頭部に着脱可能な集音器に関するものである。
【背景技術】
【０００２】  周囲の騒音を遮り特定の方向からの音を聞きやすくするため、耳に手をかぶせながら手の縁で作った開口部を音源の方向に正対させる動作は良く行われる。この形態を成して集音させるための器具も広く知られている。【０００３】  使用者の耳部に引っ掛けて片耳に装着するものが知られている。（特許文献１、特許文献２、特許文献３、特許文献４、特許文献５）【０００４】  また、左右の耳当て部が使用者の頭頂部をまたぐバンドで連結されて装着するものが知られている。
（特許文献６、特許文献７、特許文献８、特許文献９、特許文献１０）
【先行技術文献】
【特許文献】
【０００５】
【特許文献１】実開Ｓ６３−１４２００号公報
【特許文献２】特開２０００−３５８３００号公報
【特許文献３】特開２００２−３３３８８９号公報
【特許文献４】実用新案登録３１５２９８６号公報
【特許文献５】特開２０１０−１４７７３９号公報
【特許文献６】実開平１−１８１０９８号公報
【特許文献７】特開２００２−６４８９９号公報
【特許文献８】特開２００５−１１５２９９号公報
【特許文献９】特開２００６−１５７７５４号公報
【特許文献１０】特開２０１２−８３３７４号公報
【発明の概要】
【発明が解決しようとする課題】
【０００６】  しかしながら、特許文献１から特許文献５までの方法によっては片方の耳だけに装着するので安定させることが難しく、かつ外れやすい。【０００７】  さらに特許文献５から特許文献１０までの方法によれば左右の耳にかぶせる集音部と使用者の頭頂部にまたがる部分とが一体に構成されているので器具自体の外形が大きくなり携帯に適さない。【０００８】  以上のように、従来知られている方法では装着時の安定感及び携帯性も劣るため、さらなる改良が望まれていた。【０００９】  そこで、本発明は、平面状のシートを折り曲げながら組み立てることで円筒形状を具現し、製造コスト低減と携帯性向上とを実現させることを目的とする。
【課題を解決するための手段】
【００１０】  本発明は、ある程度の厚さのある紙等の平坦なシートをくりぬき、さらに折り曲げるための折り曲げ線を刻んで容易に立体形状が得られる構成とした。【００１１】  立体形状を維持するため、折り曲げた後に当接する部分を連結できるようにした。【００１２】  緩やかなカーブの折り曲げ線を刻み、それを案内にして立ち曲げて一対の連結部を連結すると概略平坦な面に連接して半円形の遮音壁部が形成されるようにした。【００１３】遮音壁部と連接した概略平坦な面の外縁を一部窪ませて、多点で耳に掛けられ、さらに使用者の顔の側面にあてて安定感が維持できる形状とした。【００１４】立体形状をなす左右の集音部は使用者の額に当たるベルト上の部分で連結され、他端が使用者の頭の後ろで連結されて輪状を成して装着される形状とした。【００１５】組み立てる前の平坦なシートが大きくなるのを防ぐため、一体案とは別に、左右の集音部と使用者の額に当たる額帯部を三分割して、それぞれを差し込みながら一体とする形状とした。
【発明の効果】
【００１６】  本発明の解決手段によれば、携帯時にかさばらず、かつ多数を重ねることも可能な平坦形状の集音器を準備することが容易で、集会等で聴取者に配り、用済み後は切断して廃棄可能な実用性の高い集音器を実現できる。【００１７】  また、平坦なので、印刷が容易にでき、集会等での宣伝効果を高めることが出来る。【００１８】  以上のように、平坦なシートを組み立てる本発明の効果は明らかなものである。
【図面の簡単な説明】
【００１９】
【図１】本発明のひとつの実施例の組立前の形状を示す平面図である。尚、折り曲げ線を破線で、メッセージボードとして付加可能な形状を二点鎖線で示している。
【図２】図１の右側の集音部を拡大し、折り曲げ作業を示す斜視図である。
【図３】図２の状態から折り曲げ、曲げ起こしをして集音部を組み立てた状態を示す斜視図である。
【図４】組み立てた全体の状態を示す斜視図である。
【図５】使用者が装着した状態を示す斜視図である。
【図６】本発明のもうひとつの実施例で、組立前の形状を示す平面図である。
【図７】本発明の実施形態例を示す参考写真である。
【発明を実施するための形態】
【００２０】  以下、本発明の実施の形態を、図を基に説明する。
【００２１】  図１に示す通り、本発明の実施例の集音器１は中央部の額帯２と必要に応じて付加されるメッセージボード３と折り曲げを補強する一対の補強４と右側の集音部５と左側の対面集音部６とが平面状でくりぬかれて一体となっている。
【００２２】集音部５は中央の遮音壁５ａと上に配置された連結部５ｃと立ち曲げ線５ｂを挟んでもう一方の連結部５ｄと外側に引っ掛け部５ｅとが配置され、その一辺は開口縁５ｆを、さらに下側外縁に窪み５ｇを形成している。集音部５と額帯２の境に折り曲げのための側方線５ｈが刻まれその上に補強４が貼られている。対面集音部６は集音部５と左右対称形である。
【００２３】  図２に示す通り、連結部５ｃは折りたたまれて袋状態にされ、引っ掛け部５ｅは曲げ起こされる。立ち曲げ線５ｂに沿って下側を曲げ起こし、上側を矢印Ａのように湾曲させて連結部５ｃをもう一方の連結部５ｄに挿入すると開口縁５ｆが概略半円形状となり図３に示すような立体となる。尚、破線で示す折り曲げ線と立ち曲げ線５ｂは表面を強くけがいて折り曲げやすくしたものである。
【００２４】  額帯部２の２本の折り曲げ線にそってＺ型に折り畳み、左右の集音部を側方線５ｈで後ろ側に曲げ、引っ掛け部５ｅと対面引っ掛け部６ｅの間に輪ゴム７を渡すと、図４に示すように使用者の頭に挿入可能な状態となる。
【００２５】  図５に使用者１０の頭に被せた状態を示す。くぼみ５ｇが使用者の耳１０ａに係り、集音器１の位置が決まる。
【００２６】  図６は本発明によるもうひとつの実施例で、全体が３分割されて小型化されている。
集音部は個別集音部９ａと個別対面集音部９ｂに分割され連結日除け部材８が追加される。額に当たる部分が上方に延伸された中央メッセージボード８ａと日除け８ｂとからなりスリット状の差込穴８ｃが左右に設けられている。
【００２７】  個別集音部９ａと個別対面集音部９ｂは前記例と同様に曲げられて立体形状をなし、それぞれの差込連結舌９ｃが差し込み穴８ｃに挿入されて一体となる。
【００２８】前者の実施例を具現した参考写真を図７に示す。
【産業上の利用可能性】
【００２９】  以上、本発明の実施例を二つ示した。音源の周波数特性に合わせて集音部にダンピングシートを貼り付けたりシート形状の材質を変えたりの調整は適宜行われる。以上述べたように本発明は製作が簡単でかつ製造コストも安いので、本発明の趣旨を逸脱しない範囲で様々な応用例も可能であり、広く産業上の利便性を向上させるものである。
【符号の説明】
【００３０】１  集音器
２  額帯
２ａ  左右連結部                        ２ｂ  日除け
３  メッセージボード
４  補強
５  集音部
５ａ  遮音壁                            ５ｂ  立ち曲げ線
５ｃ  連結部                            ５ｄ  もう一方の連結部
５ｅ  引っ掛け部                        ５ｆ  開口縁
５ｇ  窪み                              ５ｈ  側方線
６  対面集音部
６ｅ  対面引っ掛け部
７  輪ゴム
８  連結日除け部材
８ａ  中央メッセージボード              ８ｂ  中央日除け
８ｃ  差込穴
９ａ  個別集音部                            ９ｂ  個別対面集音部
９ｃ  差込連結舌
１０  使用者
１０ａ  耳
【図１】
2017182029.tif 000003
【図２】
2017182029.tif 000004
【図３】
2017182029.tif 000005
【図４】
2017182029.tif 000006
【図５】
2017182029.tif 000007
【図６】
2017182029.tif 000008
【図７】
2017182029.tif 000009